(57)【特許請求の範囲】
【請求項１】
建物側から外側へ順に、本体ＰＣ板、断熱材層及び外壁ＰＣ板、又は本体ＰＣ板、断熱材層、通気層及び外壁ＰＣ板からなる既設の外断熱ＰＣ板において、損傷外壁ＰＣ板と新たな外壁ＰＣ板を取り替える補修方法であって、前記新たな外壁ＰＣ板には、該外壁ＰＣ板の中央両側部に、上下位置調整用ボルトを有した荷重受け具の上方部材を付設し、該外壁ＰＣ板の上方両側又は下方両側に、前記本体ＰＣ板に連結される取付けボルトを有する面外拘束具を付設し、更に、該外壁ＰＣ板の内側に断熱材を敷設し、一方、前記本体ＰＣ板には、前記荷重受け具の上方部材に対向する位置に、前記荷重受け具の上方部材と当接により前記外壁ＰＣ板の自重を支持する荷重受け具の下方部材を付設すると共に、前記上下位置調整用ボルトの調整ナットを操作するスパナが挿入可能な第１貫通穴を付設し、更に、前記面外拘束具の取付けボルトに対向する位置に後埋めコンクリートで該取付けボルトを固定する第２貫通穴をそれぞれ設ける部材準備工程と、
次いで、前記面外拘束具の取付けボルトを前記本体ＰＣ板の第２貫通穴に挿入し、且つ荷重受け具の上方部材と前記荷重受け具の下方部材を当接させ、更に、必要であれば、前記上下位置調整用ボルトのナットを屋内側から第１貫通穴を通してスパナで操作して、新たな外壁ＰＣ板の位置を微調整する位置決め工程と、
前記面外拘束具の取付けボルトを前記本体ＰＣ板の屋内側に設けた仮設用鉄骨に固定し、更に第１貫通穴及び前記第２貫通穴をコンクリートで充填し、乾燥して、新たな外壁ＰＣ板を前記本体ＰＣ板に固定する工程と、
前記仮設用鉄骨を取り外し、取付けボルトの貫通穴のコンクリートをハツリ、該取付けボルトのボルト頭を切断して前記本体ＰＣ板に埋め込む仕上げ工程と、
を有することを特徴とする外断熱ＰＣ板の補修方法。
【請求項２】
前記荷重受け具の上方部材と下方部材の当接は、該上方部材にボルト頭を下側にして設置された上下位置調整用ボルトの該ボルト頭と、該下方部材である逆Ｌ字状部材の水平部材とで行うことを特徴とする請求項１記載の外断熱ＰＣ板の補修方法。
【請求項３】
前記面外拘束具の取付けボルトを支持するボルト支持具及び前記荷重受け具の上方部材であるＬ字状部材と下方部材である逆Ｌ字状部材は、ガラス繊維強化プラスチック又はカーボン繊維強化プラスチックを素材とすることを特徴とする請求項１又は２記載の外断熱ＰＣパネル板の補修方法。
【発明の詳細な説明】
【０００１】
【発明の属する技術分野】
本発明は、共同住宅、病院等の建築物の壁、柱、梁などの既存壁に取付けられる外断熱プレキャストコンクリート（ＰＣ）板の補修方法に関するものである。
【０００２】
【従来の技術】
冬場、壁がじっとり濡れる結露に悩まされる住宅は多い。目に見えない壁内部の結露も、かびの発生やアレルギーにつながるため、これらを防ぐための外断熱工法が注目を集めている。住宅、病院などの建築物の壁などをすっぽり断熱材で外側からくるむため、建物を長持ちさせる効果がある。このような外断熱は施工効率等の点で、複数の外断熱ＰＣパネル板を建築物の壁などに貼り付けて行われることが多い。
【０００３】
一方、外断熱構造の建物は長期間の使用あるいは天災、人災など不慮の外力により外壁部が損傷を受けることがある。この場合、損傷の程度にもよるが、放置すれば、せっかくの外断熱の効果が損なわれたり、外壁部の強度が低下して更に多きなダメージを受けることがある。これを解決するには、外壁部を補修する必要があるが、このような補修は断熱効果を維持すること、取付け強度を確保すること、自重による垂直応力や地震などによる水平応力に対抗できること、建物の使用状態を維持しつつ補修できることなどの難題が要求される。また、これらの難題を同時に解決する技術は未だ開示されていない。
【０００４】
【発明が解決しようとする課題】
従って、本発明の目的は、建物の使用状態を維持しつつ、比較的簡易な方法で、取付け強度を確保し、自重による垂直応力や地震などによる水平応力に対抗できる外断熱ＰＣ板の補修方法を提供することにある。
【０００５】
【課題を解決するための手段】
かかる実情において、本発明者らは鋭意検討を行った結果、損傷した外壁ＰＣ板の一区画を断熱材と共に取り除き、新たに設置する外壁ＰＣ板に特定構造の面外拘束具と、特定構造の荷重受け具の上方部材を特定位置にそれぞれ設け、一方、既設の本体ＰＣ板に荷重受け具の下方部材と、特定位置に貫通穴などを設け、該本体ＰＣ板に新たな外壁ＰＣ板を特定の工法で取り付ければ、建物の使用状態を維持しつつ、比較的簡易な方法で、取付け強度を確保でき、自重による垂直応力や地震などによる水平応力に対抗できることなどを見出し、本発明を完成するに至った。
【０００６】
すなわち、本発明は、建物側から外側へ順に、本体ＰＣ板、断熱材層及び外壁ＰＣ板、又は本体ＰＣ板、断熱材層、通気層及び外壁ＰＣ板からなる既設の外断熱ＰＣ板において、損傷外壁ＰＣ板と新たな外壁ＰＣ板を取り替える補修方法であって、前記新たな外壁ＰＣ板には、該外壁ＰＣ板の中央両側部に、上下位置調整用ボルトを有した荷重受け具の上方部材を付設し、該外壁ＰＣ板の上方両側又は下方両側に、前記本体ＰＣ板に連結される取付けボルトを有する面外拘束具を付設し、更に、該外壁ＰＣ板の内側に断熱材を敷設し、一方、前記本体ＰＣ板には、前記荷重受け具の上方部材に対向する位置に、前記荷重受け具の上方部材と当接により前記外壁ＰＣ板の自重を支持する荷重受け具の下方部材を付設すると共に、前記上下位置調整用ボルトの調整ナットを操作するスパナが挿入可能な第１貫通穴を付設し、更に、前記面外拘束具の取付けボルトに対向する位置に後埋めコンクリートで該取付けボルトを固定する第２貫通穴をそれぞれ設ける部材準備工程と、次いで、前記面外拘束具の取付けボルトを前記本体ＰＣ板の第２貫通穴に挿入し、且つ荷重受け具の上方部材と前記荷重受け具の下方部材を当接させ、更に、必要であれば、前記上下位置調整用ボルトのナットを屋内側から第１貫通穴を通してスパナで操作して、新たな外壁ＰＣ板の位置を微調整する位置決め工程と、前記面外拘束具の取付けボルトを前記本体ＰＣ板の屋内側に設けた仮設用鉄骨に固定し、更に第１貫通穴及び前記第２貫通穴をコンクリートで充填し、乾燥して、新たな外壁ＰＣ板を前記本体ＰＣ板に固定する工程と、前記仮設用骨材を取り外し、取付けボルトの貫通穴のコンクリートをハツリ、該取付けボルトのボルト頭を切断して前記本体ＰＣ板に埋め込む仕上げ工程と、を有することを特徴とする外断熱ＰＣ板の補修方法を提供するものである。
【０００７】
【発明の実施の形態】
本発明の実施の形態における外断熱ＰＣ板の補修方法を図１〜図９を参照して説明する。図１は本例の補修方法の各工程を示す図、図２は新たな外壁ＰＣ板における荷重受け具の上方部材及び面外拘束具の設置位置を示す図、図３は図１の符号９１部分の拡大図で面外拘束具を示す図、図４は図１の符号９２部分の拡大図で荷重受け具の上方部材を示す図、図５は図１の符号９３部分の拡大図で荷重受け具の下方部材を示す図、図６は図１の符号９４部分の拡大図で面外拘束具が取付けられた図、図７は図６のＹ−Ｙ線に沿って見た図、図８は図１の符号９５部分の拡大図で荷重受け具が取付けられた図、図９は図８のＹ−Ｙ線に沿って見た図をそれぞれ示す。なお、図２（Ｂ）は同図の（Ａ）のＸ−Ｘ線に沿って見た図である。
【０００８】
本例の外断熱ＰＣ板の補修方法は、建物側（屋内側）から外側へ順に、本体ＰＣ板２、断熱材層３、任意に通気層及び外壁ＰＣ板１からなる既設の外断熱ＰＣ板１０において、損傷外壁ＰＣ板１９があればこれを断熱材と共に撤去する（図１（Ａ）及び（Ｂ））。次に、新たな外壁ＰＣ板２０と本体ＰＣ板２に共に結合機能を付与する部材準備工程について説明する。なお、新たな外壁ＰＣ板２０は損傷外壁ＰＣ板１９を撤去する前に予め工場内製造しておくと共に、本体ＰＣ板２の貫通穴などの施工工事は該撤去後、すぐに行うことが好ましい。
【０００９】
部材準備工程において、先ず、新たな外壁ＰＣ板１ａの中央両側部（図２の符号７ａ部分）に、上下位置調整用ボルト１８を有した荷重受け具の上方部材７ａを付設し、外壁ＰＣ板１ａの上方両側と下方両側（図２の符号６ａ部分）に、本体ＰＣ板２に連結される２本の取付けボルト１３、１３を有する面外拘束具６ａを付設し、更に、外壁ＰＣ板１ａの内側に断熱材３ａを敷設する。面外拘束具６ａの上方両側とは、例えば、図２の上端両側であってもよい。
【００１０】
荷重受け具の上方部材７ａの上下位置調整用ボルト１８は、幅広のＬ字状部材１７の水平部材１７３の中央部分にボルト頭１８ｃが下向きになるようにナット１８ａで上下位置調整自在に取付けられている。Ｌ字状部材１７は断熱材層３ａ側に補強リブ１７２を有すると共に、外壁ＰＣ板１ａ側には垂直部材１７１に垂直に付設された取付板１６を有し、該取付板１６は外壁ＰＣ板１ａに埋設され、壁筋１５と溶着部１６１を形成して一体となっている。
【００１１】
面外拘束具６ａの縦方向に並ぶ２本の取付けボルト１３ｂ、１３ｂは、補強リブ１２ａで補強されたやや長尺のＩ字状部材を縦配置としたボルト支持具１２の内側垂直部材にナット１３ａで固定されている。更に、外側垂直部材の補強リブ１２ａを介した他方の部材には縦方向に並ぶ３本のアンカーボルト１１ｂ、１１ｂ、１１ｂがナット１１ａ、１１ａ、１１ａで固定されている。また、３本のアンカーボルト１１ｂ、１１ｂ、１１ｂは外壁ＰＣ板１ａに形成されたボルト埋め込み穴１４、１４、１４にケミカルグラウト等で固設されている。ボルト支持具１２は高さが断熱材層３ａと同じである。取付けボルトやアンカーボルトの使用本数は特に制限されず、外壁ＰＣ板の大きさ等により適宜決定される。
【００１２】
外壁ＰＣ板１ａに荷重受け具の上方部材７ａや面外拘束具６ａを付設する方法としては、公知方法が採用でき、例えば、工場内で型枠を使用してコンクリートを打設する外断熱ＰＣ板の製造方法に準拠して行えばよい。この際、外壁ＰＣ板１ａに荷重受け具の上方部材７ａや面外拘束具６ａを付設した後、公知の断熱材を必要であれば、通気層を形成した後に敷設して外壁ＰＣ板１ａの製造を完了する。
【００１３】
次いで、本体ＰＣ板２に、荷重受け具の上方部材７ａに対向する位置に、荷重受け具の上方部材７ａのボルト頭１８ｃと当接により外壁ＰＣ板１ａの自重を支持する荷重受け具の下方部材７ｂを付設すると共に、上下位置調整用ボルト１８の調整ナット１８ａを操作するスパナ（不図示）が挿入可能な第１貫通穴５を付設する。荷重受け具の下方部材７ｂは幅広の逆Ｌ字状部材２１で幅広部（縦方向部材）２１ａを本体ＰＣ板２の外側面２１ｃに当接させ、幅狭の水平部材２１ｂを外側面２１ｃから突出させたものである。この幅狭の水平部材２１ｂは荷重受け具の上方部材７ａのボルト頭１８ｃと当接して外壁ＰＣ板１ａの自重を支える。幅広部（縦方向部材）２１ａは縦横各２個計４個のアンカーボルト２２で本体ＰＣ板２に固定されている。アンカーボルト２２の使用本数は特に制限されず、外壁ＰＣ板１ａの大きさなどを考慮して適宜決定される。
【００１４】
本体ＰＣ板２における第１貫通穴５の位置は、本体ＰＣ板２に外壁ＰＣ板１ａを取り付けた際、荷重受け具の上方部材７ａの水平部材１７３に当接し、且つボルト１８ｂに螺合するナット１８ａの水平方向延長上である。また、第１貫通穴５は一時的に形成され、スパナを挿入してナット操作を行うためのものであり、その目的を達成できる程度の内径であればよい。また、本体ＰＣ板２には、更に、面外拘束具の取付けボルト１３、１３に対向する位置に後埋めコンクリートで該取付けボルト１３、１３を固定する第２貫通穴４、４が形成される。
【００１５】
上記部材準備工程終了後、位置決め工程に入る。該位置決め工程は、面外拘束具の取付けボルト１３、１３を本体ＰＣ板２の第２貫通穴４、４に挿入し、且つ荷重受け具の上方部材７ａのボルト頭１８ｃと荷重受け具の下方部材７ｂの水平部材２１ｂを当接させ、更に、必要であれば、上下位置調整用ボルトのナット１８ｃを屋内側から第１貫通穴４を通してスパナ（不図示）で操作して、外壁ＰＣ板１ａの位置を微調整する工程である（図１（Ｃ）、（Ｄ））。これにより、新たな外壁ＰＣ板１ａの正確な位置が決定される。
【００１６】
上記位置決め工程後、面外拘束具の取付けボルト１３、１３を本体ＰＣ板２の屋内側に設けた仮設用鉄骨２４に固定する（図１（Ｅ）。仮設用鉄骨２４としては、特に制限されないが、本例ではボルト支持具１２と同じやや長尺のＩ字状部材でそれよりもやや大きめのものが使用される。次いで、更に第１貫通穴５及び第２貫通穴４、４をコンクリート２５で充填し、乾燥して、新たな外壁ＰＣ板１ａを前記本体ＰＣ板２に固定する。
【００１７】
次いで、仕上げ工程に入る。仕上げ工程は締めつけナット１３ｃを取付けボルト１３ｂから取り外し、更に仮設用鉄骨２４を取り外し、貫通穴４、４のコンクリートをハツリ、ボルト頭１３１、１３１を切断して、必要であれば、該ハツリ部をコンクリート等で平滑補修して、本体ＰＣ板２に埋め込む工程である（図１（Ｆ））。該工程により、補修工程で必要ではあるが、その後撤去される部材を除去し、長期間に亘って使用可能な屋内部分が仕上げられる。
【００１８】
本発明の補修方法において、面外拘束具の取付けボルト１３を支持するボルト支持具１２及び荷重受け具の上方部材であるＬ字状部材７ａと下方部材である逆Ｌ字状部材７ｂは、熱伝導率の小さいガラス繊維強化プラスチック又はカーボン繊維強化プラスチックを素材とすることが、該取付け具のヒートブリッジによる熱損失を低減することができる点で好ましい。
【００１９】
本例の外断熱ＰＣ板の補修方法によれば、建物の使用状態を維持しつつ、比較的簡易な方法で施工できる。また、該方法で得られた補修外断熱ＰＣ板は、荷重受け具７が外壁ＰＣ板１ａの自重を支え、面外拘束具６が外壁ＰＣ板１ａと本体ＰＣ板２の面外及び面内にかかる地震、風等による水平応力に抵抗できるため、想定される外力を精度よく、各取付け具に負担させることができ、強度的には極めて安全である。また、荷重受け具７と面外拘束具６とにより、断熱材層及び必要により通気層の所定の厚さを確保できる。また、荷重受け具７と面外拘束具６の主要部材に熱伝導率の小さい素材を使用すれば、取付け具のヒートブリッジによる熱損失を低減することができ、断熱効率が向上する。
【００２０】
【発明の効果】
本発明の外断熱ＰＣ板の補修方法によれば、建物の使用状態を維持しつつ、比較的簡易な方法で施工できる。また、該方法で得られた外断熱ＰＣ板は取付け強度が十分であり、自重による垂直応力や地震などによる水平応力に対抗できる。
【図面の簡単な説明】
【図１】本例の補修方法の各工程を示す図である。
【図２】新たな外壁ＰＣ板における荷重受け具の上方部材及び面外拘束具の設置位置を示す図である。
【図３】図１の符号９１部分の拡大図で面外拘束具を示す図である。
【図４】図１の符号９２部分の拡大図で荷重受け具の上方部材を示す図である。
【図５】図１の符号９３部分の拡大図で荷重受け具の下方部材を示す図である。
【図６】図１の符号９４部分の拡大図で面外拘束具が取付けられた図である。
【図７】図６のＹ−Ｙ線に沿って見た図である。
【図８】図１の符号９５部分の拡大図で荷重受け具が取付けられた図である。
【図９】図８のＹ−Ｙ線に沿って見た図である。
【符号の説明】
１      外壁ＰＣ板
１ａ    新たな外壁ＰＣ板
２      本体ＰＣ板
３ａ    断熱材
４    第２貫通穴
５      第１貫通穴
６ａ    面外拘束具
７ａ    荷重受け具の上方部材
７ｂ    荷重受け具の下方部材
１０    外断熱ＰＣ板
１１ａ  ナット
１１ｂ  アンカーボルト
１２    ボルト支持具
１２ａ  補強リブ
１３    取付けボルト
１３ａ  ナット
１３ｂ  取付けボルト
１４    ボルト埋め込み穴
１５    壁筋１５
１６    取付板
１７    幅広のＬ字状部材
１８    上下位置調整用ボルト
１８ａ  調整ナット
１８ｂ  ボルト
１８ｃ  ボルト頭
２０    新たな外壁ＰＣ板
２１    逆Ｌ字状部材
２１ａ  幅広部（縦方向部材）
２１ｃ  本体ＰＣ板の外側面
２１ｂ  幅狭の水平部材
２２    アンカーボルト
２４    仮設用鉄骨
２５    後埋めコンクリート
２６    ケミカルグラウト
１６１  溶着部
１７１  垂直部材
１７２  補強リブ
１７３  幅広のＬ字状部材の水平部材
【図１】
0004346265.tif 000002
【図２】
0004346265.tif 000003
【図３】
0004346265.tif 000004
【図４】
0004346265.tif 000005
【図５】
0004346265.tif 000006
【図６】
0004346265.tif 000007
【図７】
0004346265.tif 000008
【図８】
0004346265.tif 000009
【図９】
0004346265.tif 000010